(57)【要約】      （修正有）【課題】マルチユーザ多入力多出力（ＭＵ−ＭＩＭＯ）送信における参照信号の生成および参照信号リソースの割り当てを行う。【解決手段】ｅＮｏｄｅ  Ｂ（ｅＮＢ）１４は、ユーザ機器デバイス（ＵＥデバイス）１８に、ＵＥデバイス１８固有の参照信号パラメータ値（ＲＳパラメータ値）及びユーザ機器固有参照信号（ＵＥ−ＲＳ）を送信する制御モジュールとを備える。ＲＳパラメータ値は、ｅＮＢ１４により、ＵＥ−ＲＳを生成するための初期値を決定するために、スクランブル符号識別子の値とともに利用され、ＲＳパラメータ値およびスクランブル符号識別子の値は、ＵＥデバイス１８により、ＵＥデバイス１８による多入力多出力通信の復調を促すためにＵＥ−ＲＳを特定するのに利用される。【選択図】図１
2016026428.tif 000002
【特許請求の範囲】
【請求項１】
ｅＮｏｄｅ  Ｂ（「ｅＮＢ」）であって、
プロセッサと、
前記プロセッサに連結されたメモリと、
前記プロセッサにより操作されると、ユーザ機器デバイス（ＵＥデバイス）に、前記ＵＥデバイスに固有の参照信号パラメータ値（ＲＳパラメータ値）及びユーザ機器固有参照信号（「ＵＥ−ＲＳ」）を送信する制御モジュールと
を備え、
前記ＲＳパラメータ値は、前記ｅＮＢにより、前記ＵＥ−ＲＳを生成するための初期値ｃｉｎｉｔを決定するために、スクランブル符号識別子の値とともに利用され、前記ＲＳパラメータ値および前記スクランブル符号識別子の値は、前記ＵＥデバイスにより、前記ＵＥデバイスによる多入力多出力通信の復調を促すために前記ＵＥ−ＲＳを特定するのに利用される、ｅＮＢ。
【請求項２】
前記制御モジュールは、無線リソース制御（「ＲＲＣ」）信号伝達を利用して、前記ＵＥデバイスに前記ＲＳパラメータ値を送信する、請求項１に記載のｅＮＢ。
【請求項３】
前記制御モジュールは、ダウンリンク制御情報（「ＤＣＩ」）を利用して、前記ＵＥデバイスに前記ＲＳパラメータ値を送信する、請求項１に記載のｅＮＢ。
【請求項４】
前記ＤＣＩは、ＤＣＩ  ２Ｃの拡張フォーマットまたはフォーマットＤＣＩ  ２Ｄであり、前記ＲＳパラメータ値を示すために３ビットを超えるビットを含む、請求項３に記載のｅＮＢ。
【請求項５】
前記ＤＣＩは、ＵＥ−ＲＳポート１１または１３を示すことができ、かつ、０または１のスクランブル符号識別子（「ＳＣＩＤ」）の値も示すことができる、請求項４に記載のｅＮＢ。
【請求項６】
前記ＲＳパラメータ値は、マルチビットのチャネル状態情報−参照信号（「ＣＳＩ−ＲＳ」）として含まれる、請求項１に記載のｅＮＢ。
【請求項７】
前記ｅＮＢにより、前記ＵＥ−ＲＳの生成に利用される前記初期値ｃｉｎｉｔは、
【数５】
2016026428.tif 000010
により決定され、本式において、ｎｓは、無線フレームのスロット番号であり、
【数Ｄ】
2016026428.tif 000011
は、物理セル層識別子であり、ｎＳＣＩＤは、前記スクランブル符号識別子の値であり、ＣＳＩ−ＲＳＩＤは、前記ＲＳパラメータ値である、請求項１に記載のｅＮＢ。
【請求項８】
前記メモリは、前記制御モジュールを実装するための命令を格納するダイナミックランダムアクセスメモリ（ＤＲＡＭ）を含む、請求項１から７のいずれか一項に記載のｅＮＢ。
【請求項９】
ｅＮｏｄｅ  Ｂ（「ｅＮＢ」）によって、ユーザ機器デバイス（ＵＥデバイス）に固有の参照信号パラメータ値（ＲＳパラメータ値）及びスクランブル符号識別子の値を利用して決定される初期値ｃｉｎｉｔに基づいて、ユーザ機器固有参照信号（「ＵＥ−ＲＳ」）を生成する段階と、
前記ｅＮＢによって、無線通信インタフェース経由で、無線リソース制御（「ＲＲＣ」）信号伝達および／またはダウンリンク制御情報（「ＤＣＩ」）を利用して、前記ＵＥデバイスに前記ＲＳパラメータ値を送信する段階と、
前記ｅＮＢによって、前記ＵＥ−ＲＳを前記ＵＥデバイスに送信する段階と、
を備え、
前記ＲＳパラメータ値および前記スクランブル符号識別子の値は、前記ＵＥデバイスにより、前記ＵＥデバイスによる多入力多出力通信の復調を促すために前記ＵＥ−ＲＳを特定するのに利用される、コンピュータ実装された方法。
【請求項１０】
前記生成する段階は、
前記ＲＳパラメータ値とスクランブル符号識別子の値とを利用して前記ＵＥ−ＲＳを生成する段階を有する、請求項９に記載の方法。
【請求項１１】
前記ＲＳパラメータ値はＤＣＩを利用して送信され、
前記ＤＣＩは、ＤＣＩフォーマット２Ｃの拡張またはＤＣＩフォーマット２Ｄであり、３ビットを超えるビットを含む、請求項９に記載の方法。
【請求項１２】
前記ＵＥデバイスに前記ＲＳパラメータ値を送信する段階は、
前記ＲＳパラメータ値を、マルチビットのチャネル状態情報−参照信号（「ＣＳＩ−ＲＳ」）として送信する段階を有する、請求項９に記載の方法。
【請求項１３】
擬似乱数シーケンス発生器を、
【数６】
2016026428.tif 000012
を利用して初期化する段階をさらに備え、
本式において、ｎｓは、無線フレームのスロット番号であり、
【数Ｅ】
2016026428.tif 000013
は、物理セル層識別子であり、ｎＳＣＩＤは、前記スクランブル符号識別子の値であり、ＣＳＩ−ＲＳＩＤは、前記ＲＳパラメータ値である、請求項１２に記載の方法。
【発明の詳細な説明】
【技術分野】
【０００１】
本願は、「高度無線通信システムおよび技術」という題名で２０１１年４月２９日に提出された米国仮特許出願第６１／４８１，０２４号の優先権を主張しており、この開示全体を、ここに参照として組み込む。
【０００２】
本発明の実施形態は、概して無線送信分野に関しており、より詳しくは、参照信号の生成および参照信号リソースの割り当てに関する。
【背景技術】
【０００３】
ここに提供する背景技術の記載は、本開示のコンテキストを概略して提示する意図を有している。現在の発明者の、この背景技術セクションに書かれている程度の仕事は、書かれていなければ出願時の従来技術でなかったものを含み、いずれもが本開示に対する明示的または黙示的に自認した従来技術ではない。ここでそうではないと示唆しない限り、このセクションで記載される方法は、本開示の請求項の従来技術ではなく、このセクションに含まれているからといって先行技術として自認したわけではない。
【０００４】
３ＧＰＰロングタームエボリューション（「ＬＴＥ」）リリース１０（２０１１年３月）（「ＬＴＥ規格」）では、ユーザ機器（「ＵＥ」）固有の参照信号（「ＵＥ−ＲＳ」）は、２つの符号分割多重（「ＣＤＭ」）を利用して最大８つの送信層をサポートすることができる。ＵＥ−ＲＳアンテナポート群｛７，８，１１，１３｝を利用するＣＤＭグループがある。別のＵＥ−ＲＳアンテナポート群｛９，１０，１２，１４｝を利用するＣＤＭグループもある。
【０００５】
ＬＴＥセルのＵＥデバイスのために生成される擬似乱数シーケンスは、そのセルに固有であってよい（「セル固有」）。この生成には、２つの可能性のあるスクランブル符号識別子（「ＳＣＩＤ」）が関係してよい。マルチユーザ多入力多出力（ＭＵ−ＭＩＭＯ）送信を実装する実施形態では、データ送信に利用される複合層が最大４つある場合がある。各ＵＥデバイスは、１つまたは２つの複合層を有してよい。しかしＭＵ−ＭＩＭＯ送信は、あるＵＥデバイスにとってトランスペアレントな場合がある。たとえば共同スケジュールされたＵＥデバイスの存在が信号伝達により示されておらず、共同スケジュールされるＵＥデバイスからの干渉の軽減が限られている場合がある。
【０００６】
実施形態は、以下の詳細な記載を、添付図面とともに読むことで明らかになる。本記載の説明をしやすくするために、同様の参照番号に、同様の構造的部材を示させる。添付図面の実施形態は例示であって、限定ではない。
【図面の簡単な説明】
【０００７】
【図１】様々な実施形態における無線通信ネットワークの一例を示す。
【図２】様々な実施形態における参照信号の生成に利用されるパラメータの送信を概略的に説明している。
【図３】様々な実施形態におけるシステムの一例を示す。
【発明を実施するための形態】
【０００８】
以下の詳細な説明では、その一部をなす添付図面について参照するが、添付図面では、全図にわたり同様の参照番号が同様の部材を示しており、例示として実施可能な実施形態が示されている。他の実施形態を利用したり、構造的またはロジック的変更を加えたりしても、本開示の範囲を逸脱しない場合があることを理解されたい。したがって以下の詳細な記載は、限定的にとらえられるべきではなく、実施形態の範囲は、添付請求項およびこれらの均等物によって定義される。
【０００９】
様々なオペレーションが、請求されている主題を理解するうえで役立つように、複数の別個のアクションまたはオペレーションとして記載されている場合がある。しかし、記載の順序は、これらのオペレーションが必ずしも順序に依存したものであると示しているわけではない。特に、これらのオペレーションは、提示された順序で実行しなくてもよい。記載されているオペレーションは、記載されている実施形態のものとは異なる順序で実行されてもよい。様々なオペレーションを追加してもよいし、および／または、記載されているオペレーションを、別の実施形態では省くこともできる。
【００１０】
本開示では、「Ａおよび／またはＢ」という記載は、（Ａ）、（Ｂ）、または、（ＡおよびＢ）のことを指す。本開示では、「Ａ、Ｂおよび／またはＣ」という言い回しは、（Ａ）、（Ｂ）、（Ｃ）、（ＡおよびＢ）、（ＡおよびＣ）（ＢおよびＣ）、または（Ａ、Ｂ、およびＣ）のことを指す。
【００１１】
記載では、「一実施形態」「１つの実施形態」といった言い回しが利用される場合があるが、これらの言い回しはそれぞれ、同じまたは異なる実施形態の１以上のことを指していてよい。さらに、本開示の実施形態で「備える」「含む」「有する」といった用語が利用されている場合、これらは同義語を意味している。
【００１２】
ここで利用される「モジュール」という用語は、特定用途向け集積回路（「ＡＳＩＣ」）、電子回路、プロセッサ（共有、専用、またはグループであってよい）、および／または、１以上のソフトウェアまたはファームウェアプログラムを実行するメモリ（共有、専用、またはグループであってよい）、統合ロジック回路（combinational logic circuit）、および／または、その他の適切な、記載する機能を提供するコンポーネントのことを指したり、これらの一部であったり、これらを含んだりしてよい。ここで利用される「コンピュータ実装された方法」という用語は、１以上のプロセッサ、１以上のプロセッサを有するコンピュータシステム、スマートフォン等の移動デバイス（１以上のプロセッサを含みうる）、タブレット、ラップトップコンピュータ、セットトップボックス、ゲームコンソール等が実行する任意の方法のことであってよい。
【００１３】
様々な実施形態において、無線通信デバイスは、プロセッサ、無線通信インタフェース、プロセッサに連結されたメモリ、および、プロセッサが操作する制御モジュールを含んでよい。制御モジュールは、ユーザ機器（「ＵＥ」）デバイスに対して無線通信インタフェースを介して、該ＵＥデバイス固有のパラメータを送信してよく、パラメータは、ｅｖｏｌｖｅｄ  ＮｏｄｅＢ（ｅＮＢ）で利用され、該ＵＥデバイスに送信されるユーザ機器固有の参照信号（「ＵＥ−ＲＳ」）を生成してよい。パラメータが該ＵＥデバイスで利用されると、ＵＥ−ＲＳを特定して、多入力多出力通信における復調を促す。様々な実施形態では、制御モジュールがプロセッサにより操作されると、メモリに、優先規則を格納させて、該ＵＥデバイスに割り当てられたＵＥ−ＲＳリソースおよび優先規則に基づいて別のＵＥデバイスに割り当てられているＵＥ−ＲＳリソースを判断させる。同様のオペレーションを実行するための方法、システム、および、コンピュータ可読媒体も提供される。
【００１４】
図１を参照すると、無線通信デバイス１０が、単一のセル１２に、マクロｅＮＢ１４と、２つの遠隔無線ヘッド（remote radio heads：「ＲＲＨ」）１６とを含んでいる（ＲＲＨ  ＡとＲＲＨ  Ｂ）。セル１２内では、３つのユーザ機器（「ＵＥ」）デバイス１８（つまりＵＥ  Ａ、ＵＥ  Ｂ、ＵＥ  Ｃ）が、無線通信ネットワーク１０に接続されていてよい。
【００１５】
マクロｅＮＢ１４は、ランク２の物理ダウンリンク共有チャネル（「ＰＤＳＣＨ」）をＵＥ  Ａに送信してよい。この送信には、ＵＥ  Ａが、ＵＥ固有参照信号（「ＵＥ−ＲＳ」）アンテナポート７および８と、スクランブル符号識別子（「ＳＣＩＤ」）０とを割り当てられているという情報が含まれていてよい。ＲＲＨ  Ａは、２つのＰＤＳＣＨをＵＥ  Ｂに送信してよい。この送信には、ＵＥ  Ｂが、ＵＥ−ＲＳアンテナポート７および８と、ＳＣＩＤ１とを割り当てられているという情報が含まれていてよい。
【００１６】
しかしＲＲＨ  Ｂが、ランク１のＰＤＳＣＨをＵＥ  Ｃに送ろうとする場合には、全てのランク１のＵＥ−ＲＳシーケンスが、既にマクロｅＮＢ１４およびＲＲＨ  Ａに割り当てられている可能性がある。一部の実施形態では、セル１２内でＵＥ−ＲＳシーケンスが不足する場合に対処するために、ＵＥ−ＲＳシーケンスをセル１２内で再利用したり、および／または、より多くのＵＥ−ＲＳシーケンスをセル１２用に定義したりすることができる。
【００１７】
たとえばＵＥ−ＲＳは、マクロｅＮＢ１４等のアクセスノードによって、１つのＵＥデバイス（複数のＵＥデバイス１８のうちのいずれか等）に固有のパラメータを利用して生成されてよい。ＵＥデバイス１８がＵＥ−ＲＳを受信して利用することで、多入力多出力（「ＭＩＭＯ」）通信の復調が促されてよい。
【００１８】
様々な実施形態では、マクロｅＮＢ１４等の、ＵＥ−ＲＳを生成する疑似乱数シーケンス発生器が、たとえば各ＬＴＥサブフレームの開始時点で、以下の式を利用して初期化される（ｃｉｎｉｔ）。
【数１】
2016026428.tif 000003
【００１９】
ＵＥデバイスに固有のパラメータには、式１のパラメータの１以上が含まれていてよい。様々な実施形態では、ｎｓは、無線フレームのスロット番号であってよい。
【数Ａ】
2016026428.tif 000004
は、物理セル層の識別子であってよい。ｎＳＣＩＤは、ＳＣＩＤであってよい。
【００２０】
様々な実施形態では、パラメータが、マクロｅＮＢ１４等のアクセスノードによってＵＥデバイス１８に提供されてよい。図２を参照すると、ＵＥデバイス２００およびｅＮＢ２０２が、２０４で無線ネットワーク接続を開始してよい。２０６で、ｅＮＢ２０２は、ＵＥデバイス２００に、たとえば無線リソース制御（「ＲＲＣ」）信号伝達を利用して式１等のパラメータを送信してよい。２０８で、ｅＮＢデバイス２０２は、パラメータを利用してｅＮＢ２０２が生成したＵＥ−ＲＳを、ＵＥデバイス２００に送信してよい。ＵＥデバイス２００は、２０６で受信したパラメータを利用してＵＥ−ＲＳを特定することができてよい。ＵＥ−ＲＳに基づいて、ＵＥデバイスはＭＩＭＯ送信を復調してよい。ｅＮＢデバイス２０２からＵＥデバイス２００にパラメータを送信することで、１つのセル内でより多くのＵＥ−ＲＳシーケンスを再利用して、および／または、定義することができてよい。
【００２１】
パラメータを送信する１つの方法は、信号伝達ビットを既存の通信に追加することである。たとえば、図１のマクロｅＮＢ１４等のアクセスノードは、ＵＥデバイス１８へ、ダウンリンク制御情報（「ＤＣＩ」）を利用して、パラメータを送信する。ＤＣＩは、ＬＴＥ規格で定義されているフォーマット２Ｃの拡張であってもよいし、新たなフォーマット２Ｄであってもよいし、４ビット等の３以上のビットを含んでいてよい。こうすることで、フォーマット２ＤのＳＣＩＤの信号伝達、およびフォーマット２Ｃの更なるＳＣＩＤの信号伝達（たとえばＳＣＩＤ２および３を追加する等）を可能とする。
【００２２】
さらなるビットは、様々なランクのＭＩＭＯ通信用のＵＥ−ＲＳアンテナポートを示すために利用されてもよい。たとえばランク１およびランク２のＭＩＭＯ  ＤＣＩ通信では、ＵＥ−ＲＳアンテナポート１１および１３が、ＳＣＩＤ０または１とともに示されてよい。こうすることで、ＵＥデバイスは、ＵＥデバイスの複合ランクが４である場合に、直交ＵＥ−ＲＳシーケンスを送信することができるようになる。
【００２３】
したがって様々な実施形態で、ＤＣＩ通信は、０、１、２、または３のＳＣＩＤを示すことができてよい。様々な実施形態において、ＤＣＩは、これに追加してまたはこの代わりに、ＵＥ−ＲＳポート１１または１３を示すことができてよく、同時に、０または１のＳＣＩＤを示すことができてよい。一部の実施形態では、信号伝達ビットは、いずれを示すこともできる２Ｃ  ＤＣＩ通信をフォーマットするために追加されてもよい。
【００２４】
パラメータを送信する別の方法に、パラメータをマルチビットのチャネル状態情報−参照信号（「ＣＳＩ−ＲＳ」）の一部として含める、というものがあり、このパラメータは、ＣＳＩ−ＲＳＩＤである。様々な実施形態では、ＵＥ−ＲＳを生成するアクセスノードの疑似乱数シーケンス発生器が、たとえば各ＬＴＥサブフレームの開始時点で、以下の式を利用して初期化される（ｃｉｎｉｔ）。
【数２】
2016026428.tif 000005
【００２５】
これは式１に似ているが、ＣＳＩ−ＲＳＩＤ×２８が加わっていることが異なっている。ＣＳＩ−ＲＳＩＤは、ＤＣＩ通信でアクセスノードがＵＥデバイスに送信してよい２つのビットを含んでいてよい。これより多いまたは少ないビットも可能である。様々な実施形態において、ＣＳＩ−ＲＳＩＤは、サブセル識別子として機能してよい。
【００２６】
図１の参照に戻ると、様々な実施形態において、セル１２で動作するＵＥデバイス１８は、フラットではなく、選択的な周波数でチャネルを利用してよい。チャネルのサブキャリアのチャネル共分散行列を近似する用途にチャネルの送信共分散行列が利用できないために、選択的なチャネル内のサブキャリアで動作するＵＥデバイス間の干渉の軽減は難しい。
【００２７】
従って、ＵＥデバイス１８は、ＵＥデバイス１８のメモリに、優先規則を格納することのできる制御モジュールを含んでよい。ＵＥデバイス１８は、ＵＥデバイス１８に割り当てられているＵＥ−ＲＳリソースと優先規則とに基づいて同じセル１２内の別のＵＥデバイスに割り当てられているＵＥ−ＲＳリソースを判断してよい。
【００２８】
たとえばマクロｅＮＢ１４は、ランク１のＵＥ−ＲＳリソースを、ＵＥ−ＲＳリソース識別子タプル｛ＵＥ−ＲＳアンテナポート、ＳＣＩＤ｝の順序付けられたリスト（たとえば、（７，０）＞（８，０）＞（７，１）＞（８，１））に基づいて、ＵＥデバイス１８に割り当てる。従って、ＵＥ  Ｂ等のＵＥデバイス１８が、ＵＥ−ＲＳポート８とＳＣＩＤ０とを割り当てられている場合、ＵＥ  Ｂは、別のＵＥデバイス１８（たとえばＵＥ  ＡまたはＵＥ  Ｃ）には少なくともいくつかＵＥ−ＲＳリソースが割り当てているのだなと推測することができる。たとえばＵＥ  Ｂは、ＵＥ−ＲＳアンテナポート７およびＳＣＩＤ０がＵＥ  ＡまたはＵＥ  Ｃに割り当てられていると推測することができる。
【００２９】
別の例として、マクロｅＮＢ１４等のｅＮＢは、以下の順序付けられたリストを利用して、ランク２のＵＥ−ＲＳリソース（７，８，０）＞（７，８，１）を割り当てることができる。始めの２つの桁は、ＵＥ−ＲＳアンテナポートであってよく、最後の桁はＳＣＩＤを表していてよいが、この順序を変更してもよい。ＵＥデバイス１８（ＵＥ  Ｂ等）が、ＵＥ−ＲＳポート７および８およびＳＣＩＤ１を割り当てられている場合、ＵＥ  Ｂは、別のＵＥデバイス１８（たとえばＵＥ  ＡまたはＵＥ  Ｃ）に少なくともいくつかＵＥ−ＲＳリソースが割り当てられているのだなと推測することができる。たとえばＵＥ  Ｂは、ＵＥ−ＲＳアンテナポート７およびＳＣＩＤ０、または、ＵＥ−ＲＳアンテナポート８およびＳＣＩＤ０が、またはこれら両方が、ＵＥ  ＡまたはＵＥ  Ｃに割り当てられていると推測することができる。
【００３０】
ＵＥ−ＲＳリソースのいずれがＵＥデバイス１８に割り当てられているかによって、より詳しくは、割り当てられているＵＥ−ＲＳリソースが優先規則のどこに位置しているかに応じて、ＵＥデバイス１８は、ＵＥ−ＲＳリソースがあるセル内の他のＵＥデバイスに割り当てられているかを推測できたりできなかったりしてよい。ＵＥデバイス１８が推測を行えない場合には、優先規則に基づく推測の代わりに、またはこれに加えて、ダウンリンク信号伝達を利用することができる。
【００３１】
たとえば上の例では、ＵＥ−ＲＳ識別子タプル（７，０）が最初に割り当てられる。ＵＥ  Ｂ等のＵＥデバイス１８が、ＵＥ−ＲＳポート７およびＳＣＩＤ０を割り当てられている場合、該ＵＥデバイスは、（８，０）等の（７，０）に後続して割り当てられうる他のＵＥ−ＲＳリソースが、あるセル内の他のＵＥデバイスに割り当てられていると推測することができない。この場合には、マクロｅＮＢ１４等のアクセスノードは、ダウンリンク信号伝達を利用して、ＵＥ  Ｂに対して、ＵＥ−ＲＳアンテナポート８およびＳＣＩＤ０が割り当てられているかを示す（indicate）することができる。
【００３２】
ここで記載する技術および装置は、望ましく構成するために適切なハードウェアおよび／またはソフトウェアを利用してシステムに実装されてよい。図３は、一実施形態における、１以上のプロセッサ３０４、プロセッサ３０４の少なくとも１つに連結されたシステム制御ロジック３０８、システム制御ロジック３０８に連結されたシステムメモリ３１２、システム制御ロジック３０８に連結された不揮発性メモリ（ＮＶＭ）／ストレージ３１６、および、システム制御ロジック３０８に連結された１以上の無線通信インタフェース３２０を含むシステム３００の形態の無線通信デバイスの一例を示す。
【００３３】
一実施形態のシステム制御ロジック３０８は任意の適切なインタフェース制御器を含んでよい。この任意の適切なインタフェース制御器は、プロセッサ３０４の少なくとも１つに、および／または、システム制御ロジック３０８と通信する任意の適切なデバイスまたはコンポーネントに、任意の適切なインタフェースを提供してよい。
【００３４】
一実施形態のシステム制御ロジック３０８は、システムメモリ３１２にインタフェースを提供するための１以上のメモリコントローラを含んでよい。システムメモリ３１２は、たとえばシステム３００のためのデータおよび/または命令をロードおよび格納するために利用されてよい。一実施形態のシステムメモリ３１２は、任意の適切な揮発性メモリ（たとえば適切なダイナミックランダムアクセスメモリ（ＤＲＡＭ））を含んでよい。
【００３５】
一実施形態のシステム制御ロジック３０８は、インタフェースをＮＶＭ／ストレージ３１６および無線通信インタフェース３２０に提供するための１以上の入出力（Ｉ／Ｏ）制御器を含んでよい。
【００３６】
ＮＶＭ／ストレージ３１６は、たとえば、データおよび／または命令を格納するために利用されてよい。ＮＶＭ／ストレージ３１６は、任意の適切な不揮発性メモリ（たとえばフラッシュメモリ）を含んでよく、および／または、任意の適切な不揮発性記憶デバイス（たとえば１以上のハードディスクドライブ（「ＨＤＤ」）、１以上の固体ドライブ、１以上のＣＤドライブ、および／または、１以上のＤＶＤドライブ）を含んでよい。
【００３７】
ＮＶＭ／ストレージ３１６は、システム３００がインストールされているデバイスの物理的な一部である格納リソースを含んでよく、または、デバイスによってアクセス可能であるが必ずしもデバイスの一部ではなくてもよい。たとえばＮＶＭ／ストレージ３１６は、無線通信インタフェース３２０によってネットワーク経由でアクセスされてよい。
【００３８】
システムメモリ３１２およびＮＶＭ／ストレージ３１６は、特に、制御モジュール３２４の一時的および永続的コピーをそれぞれ含んでよい。制御モジュール３２４は、プロセッサ３０４の少なくとも１つにより実行されると、システム３００に、上述したように、パラメータで参照信号（たとえばＵＥ−ＲＳまたはＵＥ−ＲＳ）を生成させ、パラメータを送信させ、および／または、ＵＥ−ＲＳ優先規則を利用させる。一部の実施形態では、制御モジュール３２４は、これに加えてまたはこれに代えて、システム制御ロジック３０８内に配置されていてよい。
【００３９】
無線通信インタフェース３２０は、１以上のネットワーク経由で、および／または、任意の他の適切なデバイスと通信するための、システム３００のインタフェースを提供してよい。無線通信インタフェース３２０は、無線ネットワークアダプタ等の任意の適切なハードウェアおよび／またはファームウェアを含んでよい。無線通信インタフェース３２０は、１以上のアンテナを利用してよい。
【００４０】
一実施形態では、プロセッサ３０４の少なくとも１つが、システム制御ロジック３０８の１以上の制御器の論理とともにパッケージされてよい。一実施形態では、プロセッサ３０４の少なくとも１つは、システム制御ロジック３０８の１以上のコントローラのための論理とともにパッケージされて、システムオンパッケージ（「ＳｉＰ」）を形成してよい。一実施形態では、プロセッサ３０４の少なくとも１つが、システム制御ロジック３０８の１以上の制御器のためのロジックと同じダイに集積されてよい。一実施形態では、プロセッサ３０４の少なくとも１つが、システム制御ロジック３０８の１以上のコントローラのためのロジックと同じダイに集積されて、システムオンチップ（「ＳｏＣ」）を形成してもよい。
【００４１】
システム３００は、デスクトップまたはラップトップコンピュータ、基地局、ｅＮＢ、移動電話、スマートフォン、タブレット、セットトップボックス、ゲームコンソール、その他の、無線通信信号を送受信するよう適合されているデバイスであってよい。様々な実施形態では、システム３００は、これより多い数または少ない数のコンポーネントを有してもよいし、および／または、異なるアーキテクチャを有してもよい。たとえば図３では、システム３００は、グローバルポジショニングシステム（「ＧＰＳ」）モジュール３３８、キーボード３４６、液晶ディスプレイ（「ＬＣＤ」）スクリーン３５０を含み、システム３００、グラフィックプロセッサ３５８、スピーカ３６２、タッチスクリーン３６６（場合によってＬＣＤディスプレイ３５０と同一であってよい）、および、プロセッサにより操作されてＮＶＭ／ストレージ３１６に格納する画像を撮像するカメラ３７２の位置を判定してよい。
【００４２】
説明目的で、特定の実施形態を例示し記載してきたが、本開示の範囲を逸脱しなければ、示されているまたは記載されている実施形態を、幅広い別の実施形態および／または均等物である実施形態で置き換えることができる。本願は、ここで記載する実施形態のすべての変形例および変更例を含むことを意図している。したがって、ここに記載する実施形態は、請求項およびその均等物によってのみ限定されることが意図されている。
本明細書によれば、以下の各項目に記載の構成もまた開示される。
［項目１］
ｅＮｏｄｅ  Ｂ（「ｅＮＢ」）であって、
プロセッサと、
前記プロセッサに連結されたメモリと、
前記プロセッサにより操作されると、ユーザ機器デバイス（ＵＥデバイス）に、前記ＵＥデバイスに固有の参照信号パラメータ値（ＲＳパラメータ値）を送信する制御モジュールとを備え、
前記ＲＳパラメータ値は、前記ｅＮＢにより、スクランブル識別子の値とともに利用されると、前記ＵＥデバイスに送信されるユーザ機器固有参照信号（「ＵＥ−ＲＳ」）を生成して、前記ＲＳパラメータ値および前記スクランブル識別子の値は、前記ＵＥデバイスにより利用されると、前記ＵＥ−ＲＳを特定して、前記ＵＥデバイスによる、多入力多出力通信の復調を促す、ｅＮＢ。
［項目２］
前記制御モジュールは、無線リソース制御（「ＲＲＣ」）信号伝達を利用して、前記ＵＥデバイスに前記ＲＳパラメータ値を送信する、項目１に記載のｅＮＢ。
［項目３］
前記制御モジュールは、ダウンリンク制御情報（「ＤＣＩ」）を利用して、前記ＵＥデバイスに前記ＲＳパラメータ値を送信する、項目１に記載のｅＮＢ。
［項目４］
前記ＤＣＩは、ＤＣＩ  ２Ｃの拡張フォーマットまたはフォーマットＤＣＩ  ２Ｄであり、前記ＲＳパラメータ値を示すために３ビットを超えるビットを含む、項目３に記載のｅＮＢ。
［項目５］
前記ＤＣＩは、ＵＥ−ＲＳポート１１または１３を示すことができ、かつ、０または１のスクランブル符号識別子（「ＳＣＩＤ」）の値も示すことができる、項目４に記載のｅＮＢ。
［項目６］
前記ＲＳパラメータ値は、マルチビットのチャネル状態情報−参照信号（「ＣＳＩ−ＲＳ」）として含まれる、項目１に記載のｅＮＢ。
［項目７］
前記ｅＮＢにより、前記ＵＥ−ＲＳの生成に利用される初期値ｃｉｎｉｔは、
【数３】
2016026428.tif 000006
により決定され、本式において、ｎｓは、無線フレームのスロット番号であり、
【数Ｂ】
2016026428.tif 000007
は、物理セル層識別子であり、ｎＳＣＩＤは、前記スクランブル符号識別子の値であり、ＣＳＩ−ＲＳＩＤは、前記ＲＳパラメータ値である、項目５に記載のｅＮＢ。
［項目８］
前記メモリは、前記制御モジュールを実装するための命令を格納するダイナミックランダムアクセスメモリ（ＤＲＡＭ）を含む、項目１から７のいずれか一項に記載のｅＮＢ。
［項目９］
ユーザ機器（「ＵＥ」）であって、
プロセッサと、
前記プロセッサに連結されたメモリと、
前記プロセッサにより操作され、前記メモリに優先規則を格納し、前記ＵＥに割り当てられているＵＥ固有参照信号（「ＵＥ−ＲＳ」）リソースと前記優先規則とに基づいて、別のＵＥデバイスに割り当てられているＵＥ−ＲＳリソースを判断する制御モジュールとを備える、ＵＥ。
［項目１０］
判断された前記ＵＥ−ＲＳリソースは、前記別のＵＥデバイスに割り当てられているＵＥ−ＲＳアンテナポートである、項目９に記載のＵＥ。
［項目１１］
判断された前記ＵＥ−ＲＳリソースは、前記別のＵＥデバイスに割り当てられているスクランブル符号識別子である、項目１０に記載のＵＥ。
［項目１２］
前記優先規則は、ＵＥ−ＲＳリソース識別子タプルの順序付けされたリストを含む、項目１０に記載のＵＥ。
［項目１３］
前記ＵＥ−ＲＳリソース識別子タプルは、スクランブル符号識別子および／またはＵＥ−ＲＳアンテナポートを含む、項目１２に記載のＵＥ。
［項目１４］
無線通信インタフェースをさらに備える、項目９に記載のＵＥ。
［項目１５］
ディスプレイと、
前記ディスプレイに連結され、前記ディスプレイにグラフィックを描画するグラフィックプロセッサとをさらに備える、項目９から１４のいずれか一項に記載のＵＥ。
［項目１６］
ｅＮｏｄｅ  Ｂ（「ｅＮＢ」）によって、パラメータを利用して、ユーザ機器デバイス（ＵＥデバイス）に固有の参照信号（「ＵＥ−ＲＳ」）を生成する段階と、
前記ｅＮＢによって、無線通信インタフェース経由で、無線リソース制御（「ＲＲＣ」）信号伝達および／またはダウンリンク制御情報（「ＤＣＩ」）を利用して、前記ＵＥデバイスに前記パラメータを送信する段階とを備え、
前記ＵＥ−ＲＳは、前記ＵＥデバイスにより、前記ＵＥデバイスによる多入力多出力通信の復調を促すために利用される、コンピュータ実装された方法。
［項目１７］
前記生成する段階は、
前記パラメータとスクランブル符号識別子とを利用して前記ＵＥ−ＲＳを生成する段階を有する、項目１６に記載の方法。
［項目１８］
前記パラメータはＤＣＩを利用して送信され、
前記ＤＣＩは、ＤＣＩフォーマット２Ｃの拡張またはＤＣＩフォーマット２Ｄであり、３ビットを超えるビットを含む、項目１６に記載の方法。
［項目１９］
前記パラメータは、０、１、２または３のスクランブル符号識別子（「ＳＣＩＤ」）を示すことができる、項目１８に記載の方法。
［項目２０］
前記パラメータは、ＵＥ−ＲＳポート１１または１３を示すことができ、かつ、０または１のスクランブル符号識別子（「ＳＣＩＤ」）も示すことができる、項目１８に記載の方法。
［項目２１］
前記ＵＥデバイスに前記パラメータを送信する段階は、
前記パラメータを、マルチビットのチャネル状態情報−参照信号（「ＣＳＩ−ＲＳ」）として送信する段階を有する、項目１６に記載の方法。
［項目２２］
擬似乱数シーケンス発生器を、
【数４】
2016026428.tif 000008
を利用して初期化する段階をさらに備え、
本式において、ｎｓは、無線フレームのスロット番号であり、
【数Ｃ】
2016026428.tif 000009
は、物理セル層識別子であり、ｎＳＣＩＤは、スクランブル符号識別子であり、ＣＳＩ−ＲＳＩＤは、前記パラメータである、項目２１に記載の方法。
［項目２３］
ユーザ機器デバイス（ＵＥデバイス）であって、
前記ＵＥデバイスに割り当てられているＵＥ固有参照信号（「ＵＥ−ＲＳ」）リソースと優先規則とに基づいて、同じセルの別のＵＥデバイスに割り当てられているＵＥ−ＲＳリソースを判断する手段を備える、ＵＥデバイス。
［項目２４］
判断された前記ＵＥ−ＲＳリソースは、前記セルの前記別のデバイスに割り当てられているＵＥ−ＲＳアンテナポートであり、または、前記セルの前記別のＵＥデバイスに割り当てられているスクランブル符号識別子（「ＳＣＩＤ」）である、項目２３に記載のＵＥデバイス。
［項目２５］
前記優先規則は、スクランブル符号識別子およびＵＥ−ＲＳアンテナポートのうち少なくとも１つを含むＵＥ−ＲＳリソース識別子タプルの順序付けされたリストを含む、項目２３に記載のＵＥデバイス。
【図１】
2016026428.tif 000014
【図２】
2016026428.tif 000015
【図３】
2016026428.tif 000016
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
発展型ＮｏｄｅＢ（ｅＮＢ）に、
ユーザ機器（ＵＥ）に、ＵＥ固有の基準信号（ＵＥ−ＲＳ）が基づく擬似乱数シーケンスを決定するために、スクランブル識別子の値を用いて使用されるＵＥ固有の基準信号パラメータ（ＲＳパラメータ）の指示を送信する手順と、
前記ＵＥに、前記ＵＥに送信された複数のダウンリンク信号の復調を容易にする前記ＵＥ−ＲＳを送信する手順と、
を実行させるプログラム。
【請求項２】
前記複数のダウンリンク信号は、複数の多入力多出力通信（複数のＭＩＭＯ通信）である、請求項１に記載のプログラム。
【請求項３】
前記複数のＭＩＭＯ通信は、複数のマルチユーザＭＩＭＯ通信である、請求項２に記載のプログラム。
【請求項４】
無線リソース制御（ＲＲＣ）シグナリングを用いて前記ＲＳパラメータを送信する手順を、さらに前記ｅＮＢに実行させる、請求項１から３のいずれか一項に記載のプログラム。
【請求項５】
ダウンリンク制御情報（ＤＣＩ）を使用して前記ＲＳパラメータの前記指示を送信する手順をさらに前記ｅＮＢに実行させる、請求項１から４のいずれか一項に記載のプログラム。
【請求項６】
前記ＵＥ−ＲＳは、第１ＵＥ−ＲＳシーケンスであり、１つのセルにおける前記第１ＵＥ−ＲＳシーケンス及び第２ＵＥ−ＲＳシーケンスを送信する手順をさらに前記ｅＮＢに実行させる、請求項１から５のいずれか一項に記載のプログラム。
【請求項７】
前記複数のダウンリンク信号は、複数の物理ダウンリンク共有チャネル（ＰＤＳＣＨ）送信である、請求項１から６のいずれか一項に記載のプログラム。
【請求項８】
ユーザ機器（ＵＥ）であって、
記録された複数の命令を有する１又は複数のコンピュータ可読媒体と、
前記１又は複数のコンピュータ可読媒体に連結された１又は複数のプロセッサと、
を備え、前記１又は複数のプロセッサは、前記複数の命令を実行して前記ＵＥに、
発展型ＮｏｄｅＢ（ｅＮＢ）から１又は複数の信号を受信させ、
前記１又は複数の信号に基づいて、前記ＵＥ及びスクランブル識別子の値に固有の基準信号パラメータ（ＲＳパラメータ）を決定させ、
前記ＲＳパラメータ及び前記スクランブル識別子の値に基づいてＵＥ固有の基準信号（ＵＥ−ＲＳ）を受信させ、
前記ＵＥ−ＲＳの受信に基づいてダウンリンク送信を復調させる、ＵＥ。
【請求項９】
前記１又は複数のプロセッサは、前記複数の命令を実行してさらに前記ＵＥに、
前記ＲＳパラメータ及び前記スクランブル識別子の値に基づいて擬似乱数シーケンスを決定させ、
前記擬似乱数シーケンスに基づいて前記ＵＥ−ＲＳを受信させる、請求項８に記載のＵＥ。
【請求項１０】
前記１又は複数のプロセッサは、前記複数の命令を実行してさらに前記ＵＥに、
前記ＲＳパラメータ及び前記スクランブル識別子の値に基づいて、初期値Ｃｉｎｉｔを決定させ、
前記初期値Ｃｉｎｉｔに基づいて、前記擬似乱数シーケンスを決定させる、
請求項９に記載のＵＥ。
【請求項１１】
前記１又は複数の信号は、複数の無線リソース制御信号（ＲＲＣ信号）を含む、請求項８から１０のいずれか一項に記載のＵＥ。
【請求項１２】
前記１又は複数のコンピュータ可読媒体は、ダイナミックランダムアクセスメモリを含む、請求項８から１１のいずれか一項に記載のＵＥ。
【請求項１３】
前記ダウンリンク送信は、１より大きいランクを有する、請求項８から１２のいずれか一項に記載のＵＥ。
【請求項１４】
前記ダウンリンク送信は、リモート無線ヘッドから受信される、請求項８から１３のいずれか一項に記載のＵＥ。
【請求項１５】
前記ダウンリンク送信は、前記ｅＮＢから受信される、請求項８から１４のいずれか一項に記載のＵＥ。
【請求項１６】
前記ダウンリンク送信は、物理ダウンリンク共有チャネル（ＰＤＳＣＨ）である、請求項８から１５のいずれか一項に記載のＵＥ。
【請求項１７】
前記１又は複数の信号は、ダウンリンク制御情報送信（ＤＣＩ送信）を含む、請求項８から１６のいずれか一項に記載のＵＥ。
【請求項１８】
前記ＤＣＩ送信は、フォーマット２Ｃ又は２Ｄ送信である、請求項１７に記載のＵＥ。
【請求項１９】
ｅＮＢを動作する方法であって、
ユーザ機器（ＵＥ）に、ＵＥ固有の基準信号（ＵＥ−ＲＳ）が基づく擬似乱数シーケンスを決定するために、スクランブル識別子の値を用いて使用されるＵＥ固有の基準信号パラメータ（ＲＳパラメータ）の指示を送信する段階と、
前記ＵＥに、前記ＵＥに送信された複数のダウンリンク信号の復調を容易にする前記ＵＥ−ＲＳを送信する段階と、
を備える方法。
【請求項２０】
前記複数のダウンリンク信号は、複数の多入力多出力通信（複数のＭＩＭＯ通信）である、請求項１９に記載の方法。
【請求項２１】
前記ＲＳパラメータの前記指示を送信する段階は、無線リソース制御（ＲＲＣ）シグナリングを用いて前記ＲＳパラメータを送信する段階を含む、請求項１９又は２０に記載の方法。
【請求項２２】
前記ＲＳパラメータの前記指示を送信する段階は、ダウンリンク制御情報（ＤＣＩ）における前記ＲＳパラメータを送信する段階を含む、請求項１９から２１のいずれか一項に記載の方法。